(57)【特許請求の範囲】
【請求項１】
断面の形状がほぼＴ型又はほぼＩ型となったコンクリートの橋桁の下側で、該橋桁の軸線方向とほぼ直角でほぼ水平に配置される水平部材と、
該水平部材に接合され、前記橋桁の両側面に沿って上方に立ち上げられて、該橋桁の断面が下縁付近で幅方向に拡大された断面拡大部に係止される二つの係止部材と、
前記係止部材の一つの上部に一端が支持され、該係止部材が取りつけられた第１の橋桁と隣り合う第２の橋桁に他端が支持されて二つの橋桁間に架け渡され、該係止部材の上部が前記第１の橋桁から離れる方向に変位するのを拘束する架け渡し部材と、を有し、
前記係止部材の双方は、前記断面拡大部の上側の傾斜した側面に上部を載せ掛けるように係止されるものであり、
前記係止部材の双方が、前記水平部材との接合角度の変化が拘束されるように接合されるとともに、少なくとも一方は、前記水平部材の軸線方向に移動可能となっており、前記橋桁断面の幅方向の寸法に対応した位置を選択して固定されるものであり、
前記架け渡し部材は、前記水平部材と前記係止部材とが接合されて前記第１の橋桁に取り付けられた状態で装着することができるものであることを特徴とする吊り足場支持金具。
【請求項２】
前記係止部材の上部には、上方から落とし込まれる前記架け渡し部材の端部を支持する部材受け部と、前記架け渡し部材の端面と対向し、該架け渡し部材に作用する圧縮方向の軸力が伝達される軸力受け部と、が設けられ、
前記架け渡し部材の端面と前記軸力受け部との間に、該架け渡し部材に作用する圧縮方向の軸力を該軸力受け部に伝達する軸力伝達部材が介挿されていることを特徴とする請求項１に記載の吊り足場支持金具。
【請求項３】
前記水平部材又は該水平部材に固着された部材に螺合され、先端を前記橋桁の底面に突き当てて前記水平部材と前記橋桁の底面との間隔を保持する鉛直拘束ボルトを備えることを特徴とする請求項１又は請求項２に記載の吊り足場支持金具。
【発明の詳細な説明】
【技術分野】
【０００１】
本願発明は、コンクリート橋の点検又は補修等のために橋桁の下側に設けられる吊り足場を橋桁に支持させるための吊り足場支持金具に関するものである。
【背景技術】
【０００２】
鉄筋コンクリート又はプレストレストコンクリートで主要部が構成される橋梁には、断面形状がほぼＴ型又はＩ型となった複数の橋桁を配列したものがある。このような橋梁では、橋脚又は橋台の上に設けられる支承上にコンクリートの橋桁を支持し、この橋桁の上部にコンクリートの床版を形成して、この上に道路橋では舗装を、鉄道橋では軌道が設けられる。
【０００３】
このような橋梁で、点検、補修、補強等が必要となったときには、橋桁の下側に作業用の足場を形成する必要が生じる。足場は、地表面から鋼製の枠部材（例えばビティ枠）、鋼管材、形鋼等を組み立て、作業者が橋桁の下側に接近できるように構築される。しかし、橋桁が地表面から高い位置にあるときや、高速道路の高架橋のように橋桁の下側が道路となっていて地表面から足場を組み立てられないことも多い。このようなときには橋桁から吊り下げた部材上に足場板を敷き並べた吊り足場が用いられる。
【０００４】
吊り足場を支持する方法としては、コンクリートからなる橋桁にアンカーを打ち込み、このアンカーに吊り材を支持させて足場となる床部材を吊り支持するものがある。また、特許文献１に記載されているように、橋桁の下部に設けられた断面拡大部に載せ掛けて、隣り合う橋桁間に梁を架け渡し、この梁から垂下した吊り材によって足場を支持するものがある。上記断面拡大部は、橋桁の断面における水平方向の寸法を下縁付近で拡大したものであり、断面拡大部の上部では橋桁の側面が傾斜している。上記梁は、傾斜した側面上に支持され、床版に到達するように立設された支柱によって固定されるものとなっている。
【先行技術文献】
【特許文献】
【０００５】
【特許文献１】特開２００４−３６０３０２号公報
【発明の概要】
【発明が解決しようとする課題】
【０００６】
しかしながら、従来の吊り足場の支持方法では次のような解決が望まれる課題がある。
アンカーをコンクリートの桁に打ち込んで吊り材を支持する構造では、橋桁のコンクリートを損傷することになり、耐久性への影響が懸念される。また、吊り足場は高所作業車等を用いて作業者が高所で設置作業を行うことになり、部材は軽量で簡単に取りつけられるものが望ましい。特許文献１に記載されているような構造では、橋桁間に架け渡す梁の重量が大きくなるとともに、固定するための支柱を床版の下側に設置するために多くの作業量が必要となる。
【０００７】
本願発明は、このような事情に鑑みてなされたものであり、その目的は、軽量で簡単にコンクリートの橋桁に取り付けることができる吊り足場支持金具を提供することである。
【課題を解決するための手段】
【０００８】
上記課題を解決するために、請求項１に係る発明は、  断面の形状がほぼＴ型又はほぼＩ型となったコンクリートの橋桁の下側で、該橋桁の軸線方向とほぼ直角でほぼ水平に配置される水平部材と、  該水平部材に接合され、前記橋桁の両側面に沿って上方に立ち上げられて、該橋桁の断面が下縁付近で幅方向に拡大された断面拡大部に係止される二つの係止部材と、  前記係止部材の一つの上部に一端が支持され、該係止部材が取りつけられた第１の橋桁と隣り合う第２の橋桁に他端が支持されて二つの橋桁間に架け渡され、該係止部材の上部が前記第１の橋桁から離れる方向に変位するのを拘束する架け渡し部材と、を有し、  前記係止部材の双方は、前記断面拡大部の上側の傾斜した側面に上部を載せ掛けるように係止されるものであり、  前記係止部材の双方が、前記水平部材との接合角度の変化が拘束されるように接合されるとともに、少なくとも一方は、前記水平部材の軸線方向に移動可能となっており、前記橋桁断面の幅方向の寸法に対応した位置を選択して固定されるものであり、 前記架け渡し部材は、前記水平部材と前記係止部材とが接合されて前記第１の橋桁に取り付けられた状態で装着することができるものである吊り足場支持金具を提供する。
【０００９】
この吊り足場支持金具では、二つの係止部材の一方又は双方を水平部材の軸線方向に移動して互いの間隔を広くした状態で、橋桁の下側から上方に押し上げ、二つの係止部材が橋桁の両側面に沿って対向する位置に支持することができる。そして、二つの係止部材の間隔が狭くなるように係止部材を移動し、橋桁の側面と近接又は接触する位置で係止部材が水平部材の軸線方向へ移動するのを拘束する。これにより、橋桁の断面拡大部に係止部材の上部を載せ掛けるように係止することができ、鉛直方向に作用する吊り足場の荷重を支持することができる。
また、この吊り足場支持金具は橋桁の下部の側面と下面とを取り囲む係止部材と水平部材とによって主要部が構成され、橋桁間に架け渡して鉛直荷重が作用する梁よりも重量を低減することができ、作業者による高所作業車のゴンドラ上の作業で容易に取りつけることが可能となる。
【００１０】
さらに、この吊り足場支持金具では、架け渡し部材の軸力によって係止部材の上部の変位が拘束され、係止部材と水平部材との接合部で相互間にがたつくような小さな変形が生じるのを防止することができる。また、架け渡し部材は、係止部材の上部が橋桁の傾斜する側面に載せ架けられた状態で該係止部材の位置を拘束し、鉛直方向の荷重に対する耐力が向上するものとなる。
また、架け渡し部材は、鉛直方向の荷重を受けるものではなく、軸力に対して抵抗できるものであればよく、軽量の部材を用いることができる。したがって、係止部材と水平部材とを橋桁に取りつけた後に簡単に装着することができる。
【００１１】
請求項２に係る発明は、請求項１に記載の吊り足場支持金具において、  前記係止部材の上部には、上方から落とし込まれる前記架け渡し部材の端部を支持する部材受け部と、前記架け渡し部材の端面と対向し、該架け渡し部材に作用する圧縮方向の軸力が伝達される軸力受け部と、が設けられ、  前記架け渡し部材の端面と前記軸力受け部との間に、該架け渡し部材に作用する圧縮方向の軸力を該軸力受け部に伝達する軸力伝達部材が介挿されているものとする。
【００１２】
この吊り足場支持金具では、係止部材と水平部材とを橋桁に取りつけた後に、架け渡し部材を簡単に取りつけることができる。また、架け渡し部材の軸力によって係止部材の変位を拘束できる構造とすることが、簡単な作業で可能となる。
【００１３】
請求項３に係る発明は、請求項１又は請求項２に記載の吊り足場支持金具において、  前記水平部材又は該水平部材に固着された部材に螺合され、先端を前記橋桁の底面に突き当てて前記水平部材と前記橋桁の底面との間隔を保持する鉛直拘束ボルトを備えるものとする。
【００１４】
この吊り足場支持金具では、水平部材が係止部材とともに上方へ浮き上がるように橋桁に対して変位するのが拘束される。したがって、複数の吊り足場支持金具と複数の吊り材を用いて吊り足場を支持したときに、負荷の不均衡によって下方への負荷が少ない状態となったり、風の影響で上方への力が作用することがあったりしても、水平部材と係止部材とは橋桁に対して固定された状態が維持される。したがって、橋桁に取りつけられた吊り足場支持金具の設置状態が安定し、信頼性が高いものとなる。
【発明の効果】
【００１５】
以上説明したように、この吊り足場支持金具では、軽量で橋桁の下部に容易に取りつけることができるとともに、吊り足場を高い信頼性をもって支持することが可能となる。
【図面の簡単な説明】
【００１６】
【図１】本発明に係る吊り足場支持金具と同様にコンククリートの桁の下部に取り付けられる吊り足場支持金具を参考例として示す正面図、左側面図及び右側面図である。
【図２】図１に示す吊り足場支持金具がコンクリートの橋桁に取りつけられ、吊り足場を吊り支持した状態を示す概略図である。
【図３】他の参考例である吊り足場支持金具を示す概略正面図である。
【図４】図３に示す吊り足場支持金具の第１の係止部材も水平部材の軸線方向に移動可能とした例を示す概略正面図である。
【図５】本発明の一実施形態である吊り足場支持金具が橋桁に取りつけられた状態を示す概略正面図である。
【図６】図５に示す吊り足場支持金具を拡大した概略正面図である。
【図７】図６に示す吊り足場支持金具に、図３に示す吊り足場支持金具で用いられる斜支持部材を適用した例を示す概略正面図である。
【発明を実施するための形態】
【００１７】
以下、本発明の実施の形態を図に基づいて説明する。
図１は、本発明に係る吊り足場支持金具と同様にコンククリートの桁の下部に取り付けられる吊り足場支持金具を参考例として示す正面図、左側面図及び右側面図である。また、図２は、橋梁の点検又は補修等のために上記吊り足場支持金具がコンクリートの橋桁に取りつけられ、吊り足場を支持した状態を示す概略図である。
図２に示す橋梁１は、図１に示す吊り足場支持金具２を用いて吊り足場を設けることができるものの一例として示すものであり、コンクリートからなる複数の橋桁３を備えている。橋桁３はプレストレストコンクリートで構築されたものであり、断面形状がほぼＩ型となっており、上部は複数の橋桁上で連続するコンクリート床版４と結合されている。橋桁３の下部は、断面の幅方向すなわち水平方向の寸法が拡大された断面拡大部３ａとなっており、この断面拡大部３ａの上部は両側面間の寸法が下側で拡大するように傾斜した側面３ｂが形成されている。
【００１８】
吊り足場支持金具２は、上記橋桁３の下部に設けられた断面拡大部３ａの側面と下面とに対向するように取り付けられ、この吊り足場支持金具２に一端が連結された吊り材５によって足場６を吊り支持するものとなっている。足場６は、例えば次のような構造とすることができる。吊り材５によって梁として機能する部材、例えば鋼管７を吊り支持し、この鋼管上に交差した方向に他の鋼管８を架け渡して筏状に結合する。そして、この上に足場板９を配列して足場とすることができる。上記吊り材５は、ワイヤ、チェーン、棒鋼等を用いることができ、梁として機能する部材は、鋼管の他に形鋼等を用いることができる。
【００１９】
上記吊り足場支持金具２は、橋桁３の下面と対向するように水平に配置される水平部材２１と、この水平部材２１の一端付近に結合され、上方に立ち上げられる第１の係止部材２２と、水平部材２１に対して該水平部材２１の軸線方向に移動が可能に接合され、選択した位置で軸線方向の移動が拘束される第２の係止部材２３と、水平部材２１に対して上下方向に進退が可能に螺合された鉛直拘束ボルト２４と、吊り材５を連結するための連結部材２５と、を備えている。
【００２０】
上記水平部材２１は角形の鋼管からなるものであり、両側面には軸線に沿って複数の貫通孔２１ａが設けられている。この貫通孔２１ａはボルト又はピンを挿通することができるものであり、第２の係止部材２３の位置を固定するために用いられるものである。また、橋桁の下面と対向する２箇所の位置に鉛直方向の貫通孔が設けられており、この貫通孔と中心がほぼ一致するように雌ねじ部材２６が固定されている。この雌ねじ部材２６は、ナット又は長ナット等を用いることができ、鉛直拘束ボルト２４を螺合することができるものである。この雌ねじ部材２６に螺合された鉛直拘束ボルト２４は軸線回りに回転することにより、水平部材２１を貫通して上方へ突出する長さを調整することができるものとなっている。
【００２１】
また、水平部材２１には足場を吊り支持するため連結部材２５が取りつけられている。連結部材２５は内側に水平部材２１が挿通される角形の鋼管２５ａと、この角形の鋼管の下面に溶接で接合されたプレート２５ｂとを備え、プレート２５ｂに設けられた孔にワイヤ等の吊り材５を挿通して連結することができるものとなっている。上記角形の鋼管２５ａは、水平部材２１の軸線方向に位置を変更することができるものであってよいし、位置が固定されたものでもよい。また、連結部材２５は、このような形態のものに限定されるものではなく、フックやリング状の部材を有するもの等、吊り材５を連結することができる様々な形態のものを用いることができる。また、フックやリング状の部材が水平部材２１に直接に取りつけられるものであってもよい。さらに、連結部材２５を用いることなく、水平部材２１に貫通孔を設けて吊り材５を挿通して連結しても良いし、吊り材５を水平部材２１の周囲に掛け回して連結するものであっても良い。
【００２２】
上記第１の係止部材２２は、角形の鋼管からなる水平部材２１の両側面に接合される第１の主プレート２２ａ及び第２の主プレート２２ｂと、２つの主プレートを連結する第１の連結プレート２２ｃ及び第２の連結プレート２２ｄとを備えている。第１の主プレート２２ａ及び第２の主プレート２２ｂは、水平部材２１の側面に溶接で接合され、水平部材２１との相対的な変位及び相互間の角度変化が生じないように固定されている。第１の主プレート２２ａ及び第２の主プレート２２ｂの橋桁３と対向する縁辺２２ｅは、橋桁３の下部のほぼ鉛直な側面３ｃと対向してほぼ鉛直となっており、このほぼ鉛直な縁辺２２ｅの上に橋桁３の傾斜した側面３ｂに沿って橋桁側に突き出した係止部２２ｆを備えている。そして、橋桁３の傾斜した側面３ｂと対向する係止部２２ｆの縁には２つの主プレート２２ａ，２２ｂを連結するように第１の連結プレート２２ｃが溶接で接合されている。これにより、主プレート２２ａ，２２ｂの傾斜した縁と上記第１の連結プレート２２ｃとが橋桁３の傾斜した側面３ｂに当接されるものとなっている。また、第２の連結プレート２２ｄは、第１の主プレート２２ａ及び第２の主プレート２２ｂの橋桁３との対向する縁辺２２ｅと反対側の縁辺に沿って溶接で接合され、第１の主プレート２２ａ及び第２の主プレート２２ｂの変形を低減するものとなっている。
【００２３】
上記第２の係止部材２３は、水平部材２１を内側に挿通することができる角形の鋼管を所定の長さに切断した外挿部材２３ｇと、角形の鋼管からなる上記外挿部材の両側面に接合される第１の主プレート２３ａ及び第２の主プレート２３ｂと、２つの主プレート２３ａ，２３ｂを連結する第１の連結プレート２３ｃ及び第２の連結プレート２３ｄとを備えている。第１の主プレート２３ａ及び第２の主プレート２３ｂは、第１の係止部材２２を構成するものとほぼ同じ形状となっており、外挿部材２３ｇの両側面に溶接で接合され、上部には橋桁側に突き出して傾斜した側面３ｂに係止される係止部２３ｆを備えている。また、２つの主プレート２３ａ，２３ｂを連結する第１の連結プレート２３ｃ及び第２の連結プレート２３ｄも、第１の係止部材２２と同様の位置で主プレート２３ａ，２３ｂに溶接接合されており、第１の連結プレート２３ｃは橋桁３の傾斜した側面３ｂに当接され、第２の連結プレート２３ｄは主プレート２３ａ，２ｂ３を補強するものとなっている。
【００２４】
上記外挿部材２３ｇの内側に水平部材２１が挿通された状態で、該外挿部材２３ｇの内周面と水平部材２１の外周面との間にはわずかの隙間があり、外挿部材２３ｇは水平部材２１の軸線方向に移動が可能となっている。そして、側面には貫通孔が設けられ、この貫通孔にボルト２３ｈ又はピンを挿通し、水平部材２１に設けられた貫通孔２１ａにも挿通する。これにより、水平部材２１の軸線方向において外挿部材２３ｇつまり第２の係止部材２３の位置を固定することができるものとなっている。また、水平部材２１に設けられた複数の貫通孔２１ａからボルト２３ｈ又はピンを挿通する孔を選択することにより、第２の係止部材２３の位置を調整することができるものである。
【００２５】
上記外挿部材２３ｇの内側に水平部材２１が挿通された状態で、外挿部材２１の内周面と水平部材２１の外周面との間に僅かの隙間があることにより、第２の係止部材２３の上部は橋桁３に対して進退する方向にがたつくように変位する。しかし、第２の係止部材２３の上部が橋桁３の側面から後退する方向の変形に対して、外挿部材２３ｇは一端の上側の縁と他端の下側の縁とがそれぞれ水平部材２１の上面及び下面に当接されて、大きな変形は拘束される。したがって、第２の係止部材２３と水平部材２１との間の大きな相対的な変形は拘束され、２つの係止部材２２，２３の係止部２２ｆ、２３ｆは橋桁の断面拡大部３ａの上部に形成されている傾斜した側面３ｂに係止された状態が維持される。そして、水平部材２１に下方への負荷つまり足場６の重量及び足場上の荷重が作用したときに、２つの係止部材２２，２３を介して断面拡大部３ａの上側に形成されている傾斜した側面３ｂに鉛直力が伝達され、足場６が橋桁３によって支持されるものとなる。
【００２６】
このような吊り足場支持金具２は、高所作業車等に乗った作業者によって橋桁の下部に取りつけることができる。
吊り足場支持金具２は、水平部材２１上における第２の係止部材２３の位置を調整して、第１の係止部材２２と第２の係止部材２３との間隔を橋桁３の幅より大きくしておく。そして、この吊り足場支持金具２を高所作業車上の作業者が橋桁３の下方から押し上げ、第１の係止部材２２及び第２の係止部材２３が橋桁３の側面と対向する高さに保持する。この位置で第２の係止部材２３を橋桁３に接近する方向に移動する。そして、第２の係止部材２３及び第１の係止部材２２の橋桁側面と対向する縁辺２２ｅ，２３ｅが橋桁３と接触又は近接する位置で第２の係止部材２３の位置を水平部材２１に対して固定する。つまり、第２の係止部材２３が有する外挿部材２３ｇの貫通孔及び水平部材２１に設けられた貫通孔にボルト２３ｈ又はピンを挿通して抜け落ちないように止め付ける。これにより、第１の係止部材２２と第２の係止部材２３との上部に設けられた係止部２２ｆ，２３ｆが橋桁３の断面拡大部３ａに係止され、吊り足場を支持することが可能となる。
【００２７】
なお、上記第１の係止部材２２及び第２の係止部材２３の橋桁３と接触する部分、つまり第１の連結プレート２２ｃ，２３ｃ又は係止部２２ｆ，２３ｆの橋桁３と対向する縁には、橋桁の傾斜した側面３ｂとの間の摩擦を増大する部材（図示しない）を取り付けることができる。摩擦を増大する部材としては、例えばゴムのパッドを用いることができ、第１の係止部材２２及び第２の係止部材２３の係止部２２ｆ，２３ｆに貼り付ける。このようなゴムのパッドを介して係止部２２ｆ，２３ｆが橋桁の傾斜した側面に当接されることにより、均等に近い分布で接触圧が作用し、第１の係止部材２２又は第２の係止部材２３が橋桁３に傾斜した側面３ｂに対して係止位置が移動しにくくなる。これにより、この吊り足場支持金具の信頼性が向上する。
【００２８】
また、第１の連結プレート２２ｃ，２３ｃ又は係止部２２ｆ，２３ｆの橋桁３と接触する部分に、橋桁の傾斜した側面３ｂとの摩擦を増大する処理を施すこともできる。摩擦を増大する処理としては、例えば係止部２２ｆ，２３ｆの橋桁との接触部分に凹凸を設け、凸部の先端を鋭く尖ったものにする。このような手段によって第１の係止部材２２又は第２の係止部材２３と橋桁の傾斜した側面３ｂとの間の摩擦を大きくし、橋桁の傾斜した側面３ｂに載せ掛けるように係止される係止部材２２，２３が下方へ移動するのを抑制し、信頼性を増大することができる。
【００２９】
図３は、他の参考例である吊り足場支持金具３０を示す概略正面図である。
この吊り足場支持金具３０は、図１に示す吊り足場支持金具２と同様に水平部材２１と、第１及び第２の係止部材２２，２３と、鉛直拘束ボルト２４と、連結部材２５とを備えている。そして、これらの構成に加えて、第２の係止部材２３と水平部材２１とを斜め方向に連結する斜支持部材３１を備えるものである。また、この斜支持部材３１を接合するために水平部材２１は第２の係止部材２３側に長さが延長されている。
上記水平部材２１、第１及び第２の係止部材２２，２３、鉛直拘束ボルト２４、連結部材２５については、図１に示す吊り足場支持金具２と同様の構成を備えるものであり、同じ符号を付して詳細な説明を省略する。
【００３０】
上記斜支持部材３１は、ターンバックル３２と、これに両側から螺合して接続される２つの棒状部材３３，３４とを備えるものである。ターバックル３２で接合された２つの棒状部材の他端はリング状になっており、ボルト３５，３６又はピンを挿通してそれぞれ水平部材２１と第２の係止部材２３に連結することができるものとなっている。そして、ターンバックル３２の一方の端部に設けられた螺条とこれにねじ込まれる棒状部材の螺条は逆ねじとなっており、ターンバックル３２を回転させることにより連結された２つの棒状部材３３，３４の両端間の長さを変えることができるものとなっている。
【００３１】
このような斜支持部材３１は、図１に示す吊り足場支持金具２と同様にして水平部材２１と２つの係止部材２２，２３とを橋桁３に取りつけた後に装着することができる。つまり、２つの棒状部材３３，３４のリング状となった端部を、それぞれ第２の係止部材２３の２つの主プレート２３ａ，２３ｂ間及び水平部材２１の内側に挿入し、側面からボルト３５，３６又はピンを挿入することによって両端をそれぞれ水平部材２１及び第２の係止部材２３に連結することができる。なお、第２の係止部材２３の第２の連結プレート２３ｄ'は、斜支持部材３１の端部を２つの主プレート２３ａ，２３ｂ間に挿入することができるように２つに分割して設けられている。また、水平部材２１も斜支持部材３１の端部が接合される部分では角形の管状となった部材の上面が切除され、斜支持部材３１の端部を対向する２つの側面部２１ｂの間に挿入することができるものとしている。
【００３２】
上記斜支持部材３１は、上記のようにして第２の係止部材２３と水平部材２１とを連結するように取りつけられた後、ターンバックル３２を回転して長さを調整することができ、第２の係止部材２３を橋桁側３に押し付けて変位を拘束することができる
【００３３】
上記斜支持部材３１は、リング状となった端部を第２の係止部材２３の２つの主プレート間と、水平部材２１の内側に挿入して連結するものであるが、第２の係止部材２３及び水平部材２１に貫通するボルト又はピンとしてそれぞれが両側に突出するように長いものを用い、第２の係止部材２３と水平部材２１との両側に２つの斜支持部材を平行に取り付けるものであってもよい。また、斜支持部材３１を第２の係止部材２３および水平部材２１に取り付ける構造は、水平部材２１と第２の係止部材２３とが橋桁３に支持された状態で簡単に装着することができるものであれば他の構造とすることもできる。また、斜支持部材３１は、上記のようにターンバックル３２を用いるものに限定されるものではなく、両端間の長さが伸縮する他の構造を採用することもできる。
【００３４】
また、図３に示す実施の形態では、斜支持部材３１を第２の係止部材２３と水平部材２１とを連結するように設けているが、図４に示すように第１の係止部材２２'も水平部材２１の軸線方向に移動可能な構造とし、第１の係止部材２２'と水平部材２１との間にも斜支持部材３７を装着することもできる。第１の係止部材２２'と水平部材２１を連結するように装着される斜支持部材３７も、図３に示す斜支持部材３１と同様の構造とすることができる。
【００３５】
次に本発明の一実施形態である吊り足場支持金具について説明する。
図５は、この吊り足場支持金具４０を橋桁に取りつけた状態を示す概略図であり、図６はこの吊り足場支持金具４０の正面図である。
この吊り足場支持金具４０は、図１に示す吊り足場支持金具と同じ水平部材２１と、第１及び第２の係止部材２２，２３と、鉛直拘束ボルト２４と、連結部材２５と、を備えている。これらの構成の詳細については図１に示す吊り足場支持金具２と同様であるので省略する。
本実施形態の吊り足場支持金具４０では、上記構成に加えて、隣り合う橋桁３，３間に架け渡される棒状又は管状の架け渡し部材４１を備えており、第１の係止部材２２及び第２の係止部材２３の上部には上記架け渡し部材４１の端部を支持する受け部４２が設けられている。
【００３６】
上記架け渡し部材４１は、軸線方向に作用する力で係止部材２２，２３が橋桁から離れる方向に変位するのを拘束する部材である。したがって、鉛直方向に大きな荷重が作用するものではなく、大きな曲げ剛性を有するものである必要はない。したがって、簡易な足場の形成に用いられるような鋼管（いわゆる単管）や軽量の型鋼を用いることができる。
【００３７】
係止部材２２，２３の上部に設けられる受け部４２には、図６に示すように、２つの主プレート２３ａ，２３ｂ間に溶接等で固定され、部材受け部として機能する水平板４２ａと、この水平板４２ａの橋桁３側の端縁よりほぼ鉛直方向に立ち上げられ、軸力受け部として機能する鉛直板４２ｂとが設けられている。そして、水平板４２ａの反対側つまり橋桁３と離れた側は上方が開放され、架け渡し部材４１の端部を上方から２つの主プレート２３ａ，２３ｂ間に落とし込み、水平板４２ａ上に載置して、架け渡し部材４１の端面を鉛直板４２ｂに対向させることができるものとなっている。
【００３８】
このような吊り足場支持金具４０では、図１に示す吊り足場支持金具２と同様に水平部材２１と係止部材２２，２３とを橋桁に取りつけた後、図５に示すように、隣り合う橋桁３，３に取りつけた吊り足場支持金具４０，４０の間に架け渡し部材４１を架け渡して装着する。そして、図６に示すように架け渡し部材４１の端面と鉛直板４２ｂとの間には、木材等で形成したくさび状の軸力伝達部材４３を押し込む。これにより、架け渡し部材４１の軸力で係止部材２２，２３の上部の変位が拘束される。
【００３９】
なお、このような受け部４２は、図５及び図６に示すように、第１の係止部材２２と第２の係止部材２３との双方に設けるのが望ましいが、水平部材２１の軸線方向に移動可能となった第２の係止部材２３のみに設けられるものであってもよい。隣り合う橋桁に取りつけられる吊り足場支持金具に、架け渡し部材の受け部が設けられていないとき、又は隣り合う橋桁に同様の構造を備えた吊り足場支持金具が取りつけられていないときには、隣り合う橋桁に受け部材（図示しない）を設け、架け渡し部材４１の他端を支持することができる。この受け部材は、架け渡し部材４１の重量を支持することができるとともに、架け渡し部材４１の端面から橋桁３に軸力が伝達されるように装着できるものであればよい。また、軸力の伝達は、係止部材２３の上部に設けられた受け部４２と同様に架け渡し部材４１の端面と橋桁との間に挿入した木片等を介するものでよい。このような受け部材は、ホールインアンカーで橋桁に支持させてもよいし、接着剤等を用いて固定するものであってもよい。
【００４０】
また、この実施形態の吊り足場支持金具４０は、図７に示すように、図４に示す参考例で用いられる斜支持部材３１を備えるものとすることもできる。
【００４１】
以上に説明した実施の形態では、２つの係止部材２２，２３は、２つの主プレートと、これらを連結する連結プレートとを有するものであるが、形状及び構造等はこれらの形態に限定されるものではなく、同様の機能を備えて橋桁の断面拡大部に係止することができるものであれば、他の様々な形態とすることができる。また、鉛直拘束ボルト２２は、吊り材から吊り足場支持金具に作用する鉛直方向の力が安定して変動が少ない場合や、風の影響が少ない場合には、省略することもできる。さらに、本発明の吊り足場支持金具のその他の部分についても、本発明の範囲で様々な態様とすることができる。
一方、この吊り足場支持金具を使用することができる橋桁は、プレストレストコンクリートに限定されるものではなく鉄筋コンクリートで形成されたものであってもよい。また、断面形状は、床版となる両側方への張り出し部を一体に備え、ほぼＴ型となったものでもよく、下部に断面拡大部を備えるものであれば適用することができる。
【符号の説明】
【００４２】
１：橋梁、    ２：吊り足場支持金具、    ３：橋桁、    ３ａ：橋桁の断面拡大部、３ｂ：橋桁の傾斜した側面、    ４：コンクリート床版、    ５：吊り材、    ６：足場、    ７，８：鋼管、    ９：足場板、
２１：水平部材、    ２２：第１の係止部材、    ２２ａ：第１の主プレート、    ２２ｂ：第２の主プレート、    ２２ｃ：第１の連結プレート、    ２２ｄ：第２の連結プレート、    ２２ｅ：第１及び第２の主プレートの橋桁と対向する側縁、    ２２ｆ：係止部、    ２３：第２の係止部材、    ２３ａ：第１の主プレート、    ２３ｂ：第２の主プレート、    ２３ｃ：第１の連結プレート、    ２３ｄ：第２の連結プレート、    ２３ｅ：第１及び第２の主プレートの橋桁と対向する側縁、    ２３ｆ：係止部、    ２３ｇ：外挿部材、    ２３ｈ：ボルト、    ２４：鉛直拘束ボルト、    ２５：連結部材、    ２６：雌ねじ部材、
３０：吊り足場支持金具、    ３１斜支持部材、    ３２：ターンバックル、    ３３，３４：棒状部材、    ３５，３６：ボルト、    ３７：斜支持部材、
４０：吊り足場支持金具、    ４１：架け渡し部材、    ４２：受け部、    ４３：軸力伝達部材
【図１】
0005543323.tif 000002
【図２】
0005543323.tif 000003
【図３】
0005543323.tif 000004
【図４】
0005543323.tif 000005
【図５】
0005543323.tif 000006
【図６】
0005543323.tif 000007
【図７】
0005543323.tif 000008